【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  第１のデータを、第２のデータに変換するときに用いる、前記第１および第２のデータを対応付けた変換テーブルを作成するデータ処理装置であって、
前記第１のデータのうちの所定の値のデータを基準データとして、前記第１のデータのうちの、前記基準データに対して所定の位置関係にあるものの度数分布を、前記基準データの値ごとに生成する度数分布生成手段と、
前記基準データの値ごとの前記第１のデータの度数分布に基づいて、前記基準データの値ごとに、前記変換テーブルを生成するテーブル生成手段と
を備えることを特徴とするデータ処理装置。
【請求項２】  前記度数分布生成手段は、前記基準データに対して、時間的または空間的に近い位置にある前記第１のデータの度数分布を生成する
ことを特徴とする請求項１に記載のデータ処理装置。
【請求項３】  前記度数分布生成手段は、前記基準データに対して、時間的または空間的に隣接する前記第１のデータの度数分布を生成する
ことを特徴とする請求項２に記載のデータ処理装置。
【請求項４】  前記テーブル生成手段は、前記基準データに対して度数分布が求められた各値の前記第１のデータに対して、その度数の昇順または降順に、前記第２のデータを割り当てることにより、前記基準データの値ごとの前記変換テーブルを生成する
ことを特徴とする請求項１に記載のデータ処理装置。
【請求項５】  前記第１のデータは、画像を構成する画素値である
ことを特徴とする請求項１に記載のデータ処理装置。
【請求項６】  第１のデータを、第２のデータに変換するときに用いる、前記第１および第２のデータを対応付けた変換テーブルを作成するデータ処理方法であって、
前記第１のデータのうちの所定の値のデータを基準データとして、前記第１のデータのうちの、前記基準データに対して所定の位置関係にあるものの度数分布を、前記基準データの値ごとに生成する度数分布生成ステップと、
前記基準データの値ごとの前記第１のデータの度数分布に基づいて、前記基準データの値ごとに、前記変換テーブルを生成するテーブル生成ステップと
を備えることを特徴とするデータ処理方法。
【請求項７】  第１のデータを、第２のデータに変換するときに用いる、前記第１および第２のデータを対応付けた変換テーブルを作成するデータ処理を、コンピュータに行わせるプログラムが記録されている記録媒体であって、
前記第１のデータのうちの所定の値のデータを基準データとして、前記第１のデータのうちの、前記基準データに対して所定の位置関係にあるものの度数分布を、前記基準データの値ごとに生成する度数分布生成ステップと、
前記基準データの値ごとの前記第１のデータの度数分布に基づいて、前記基準データの値ごとに、前記変換テーブルを生成するテーブル生成ステップと
を備えるプログラムが記録されている
ことを特徴とする記録媒体。
【請求項８】  第１のデータを、第２のデータに変換するデータ処理装置であって、
前記第１のデータを選択するとともに、その選択された第１のデータに対して所定の位置関係にある他の前記第１のデータを、基準データとして選択する選択手段と、
前記基準データの値ごとに生成され、前記第１および第２のデータが対応付けられた変換テーブルに基づいて、前記第１のデータを、前記第２のデータに変換する変換手段と
を備えることを特徴とするデータ処理装置。
【請求項９】  前記変換テーブルは、前記第１のデータのうちの所定の値のデータを前記基準データとして、前記第１のデータのうちの、前記基準データに対して所定の位置関係にあるものの度数分布を、前記基準データの値ごとに生成し、その、前記基準データの値ごとの前記第１のデータの度数分布に基づいて、前記基準データの値ごとに生成されたものである
ことを特徴とする請求項８に記載のデータ処理装置。
【請求項１０】  前記変換テーブルは、前記第１のデータのうちの所定の値のデータを前記基準データとして、前記第１のデータのうちの、前記基準データに対して時間的または空間的に近い位置にあるものの度数分布を、前記基準データの値ごとに生成し、その、前記基準データの値ごとの前記第１のデータの度数分布に基づいて、前記基準データの値ごとに生成されたものである
ことを特徴とする請求項９に記載のデータ処理装置。
【請求項１１】  前記変換テーブルは、前記第１のデータのうちの所定の値のデータを前記基準データとして、前記第１のデータのうちの、前記基準データに対して時間的または空間的に隣接するものの度数分布を、前記基準データの値ごとに生成し、その、前記基準データの値ごとの前記第１のデータの度数分布に基づいて、前記基準データの値ごとに生成されたものである
ことを特徴とする請求項１０に記載のデータ処理装置。
【請求項１２】  前記変換テーブルは、前記基準データに対して度数分布が求められた各値の前記第１のデータに対して、その度数の昇順または降順に、前記第２のデータを割り当てることにより、前記基準データの値ごとに生成されたものである
ことを特徴とする請求項９に記載のデータ処理装置。
【請求項１３】  前記第１のデータは、画像を構成する画素値である
ことを特徴とする請求項８に記載のデータ処理装置。
【請求項１４】  前記基準データの値ごとの前記変換テーブルを記憶する記憶手段をさらに備える
ことを特徴とする請求項８に記載のデータ処理装置。
【請求項１５】  前記基準データの値ごとの前記変換テーブルを生成する生成手段をさらに備える
ことを特徴とする請求項８に記載のデータ処理装置。
【請求項１６】  前記第１のデータを変換して得られる前記第２のデータを圧縮する圧縮手段をさらに備える
ことを特徴とする請求項８に記載のデータ処理装置。
【請求項１７】  第１のデータを、第２のデータに変換するデータ処理方法であって、
前記第１のデータを選択するとともに、その選択された第１のデータに対して所定の位置関係にある他の前記第１のデータを、基準データとして選択する選択ステップと、
前記基準データの値ごとに生成され、前記第１および第２のデータが対応付けられた変換テーブルに基づいて、前記第１のデータを、前記第２のデータに変換する変換ステップと
を備えることを特徴とするデータ処理方法。
【請求項１８】  第１のデータを、第２のデータに変換するデータ処理を、コンピュータに行わせるプログラムが記録されている記録媒体であって、
前記第１のデータを選択するとともに、その選択された第１のデータに対して所定の位置関係にある他の前記第１のデータを、基準データとして選択する選択ステップと、
前記基準データの値ごとに生成され、前記第１および第２のデータが対応付けられた変換テーブルに基づいて、前記第１のデータを、前記第２のデータに変換する変換ステップと
を備えるプログラムが記録されている
ことを特徴とする記録媒体。
【請求項１９】  第１のデータを変換して得られる第２のデータを、元の第１のデータに逆変換するデータ処理装置であって、
前記第２のデータを選択するとともに、その選択された第２のデータに対して所定の位置関係にある、既に逆変換された前記第１のデータを、基準データとして選択する選択手段と、
前記基準データの値ごとに生成され、前記第１および第２のデータが対応付けられた変換テーブルに基づいて、前記第２のデータを、前記第１のデータに逆変換する逆変換手段と
を備えることを特徴とするデータ処理装置。
【請求項２０】  前記変換テーブルは、前記第１のデータのうちの所定の値のデータを前記基準データとして、前記第１のデータのうちの、前記基準データに対して所定の位置関係にあるものの度数分布を、前記基準データの値ごとに生成し、その、前記基準データの値ごとの前記第１のデータの度数分布に基づいて、前記基準データの値ごとに生成されたものである
ことを特徴とする請求項１９に記載のデータ処理装置。
【請求項２１】  前記変換テーブルは、前記第１のデータのうちの所定の値のデータを前記基準データとして、前記第１のデータのうちの、前記基準データに対して時間的または空間的に近い位置にあるものの度数分布を、前記基準データの値ごとに生成し、その、前記基準データの値ごとの前記第１のデータの度数分布に基づいて、前記基準データの値ごとに生成されたものである
ことを特徴とする請求項２０に記載のデータ処理装置。
【請求項２２】  前記変換テーブルは、前記第１のデータのうちの所定の値のデータを前記基準データとして、前記第１のデータのうちの、前記基準データに対して時間的または空間的に隣接するものの度数分布を、前記基準データの値ごとに生成し、その、前記基準データの値ごとの前記第１のデータの度数分布に基づいて、前記基準データの値ごとに生成されたものである
ことを特徴とする請求項２１に記載のデータ処理装置。
【請求項２３】  前記変換テーブルは、前記基準データに対して度数分布が求められた各値の前記第１のデータに対して、その度数の昇順または降順に、前記第２のデータを割り当てることにより、前記基準データの値ごとに生成されたものである
ことを特徴とする請求項２０に記載のデータ処理装置。
【請求項２４】  前記第１のデータは、画像を構成する画素値である
ことを特徴とする請求項１９に記載のデータ処理装置。
【請求項２５】  前記基準データの値ごとの前記変換テーブルを記憶する記憶手段をさらに備える
ことを特徴とする請求項１９に記載のデータ処理装置。
【請求項２６】  前記基準データの値ごとの前記変換テーブルを取得する取得手段をさらに備える
ことを特徴とする請求項１９に記載のデータ処理装置。
【請求項２７】  圧縮された前記第２のデータを伸張する伸張手段をさらに備える
ことを特徴とする請求項１９に記載のデータ処理装置。
【請求項２８】  第１のデータを変換して得られる第２のデータを、元の第１のデータに逆変換するデータ処理方法であって、
前記第２のデータを選択するとともに、その選択された第２のデータに対して所定の位置関係にある、既に逆変換された前記第１のデータを、基準データとして選択する選択ステップと、
前記基準データの値ごとに生成され、前記第１および第２のデータが対応付けられた変換テーブルに基づいて、前記第２のデータを、前記第１のデータに逆変換する逆変換ステップと
を備えることを特徴とするデータ処理方法。
【請求項２９】  第１のデータを変換して得られる第２のデータを、元の第１のデータに逆変換するデータ処理を、コンピュータに行わせるプログラムが記録されている記録媒体であって、
前記第２のデータを選択するとともに、その選択された第２のデータに対して所定の位置関係にある、既に逆変換された前記第１のデータを、基準データとして選択する選択ステップと、
前記基準データの値ごとに生成され、前記第１および第２のデータが対応付けられた変換テーブルに基づいて、前記第２のデータを、前記第１のデータに逆変換する逆変換ステップと  を備えるプログラムが記録されている
ことを特徴とする記録媒体。
【手続補正２】
【補正対象書類名】明細書
【補正対象項目名】００４８
【補正方法】削除
【補正の内容】
【手続補正３】
【補正対象書類名】明細書
【補正対象項目名】００４９
【補正方法】削除
【補正の内容】
【手続補正４】
【補正対象書類名】明細書
【補正対象項目名】００５０
【補正方法】削除
【補正の内容】
【手続補正５】
【補正対象書類名】明細書
【補正対象項目名】００５１
【補正方法】削除
【補正の内容】
【手続補正６】
【補正対象書類名】明細書
【補正対象項目名】００５２
【補正方法】削除
【補正の内容】
【手続補正７】
【補正対象書類名】明細書
【補正対象項目名】００５３
【補正方法】削除
【補正の内容】
【手続補正８】
【補正対象書類名】明細書
【補正対象項目名】００５４
【補正方法】削除
【補正の内容】
【手続補正９】
【補正対象書類名】明細書
【補正対象項目名】００５５
【補正方法】削除
【補正の内容】
【手続補正１０】
【補正対象書類名】明細書
【補正対象項目名】００５６
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６１
【補正方法】削除
【補正の内容】
【手続補正１６】
【補正対象書類名】明細書
【補正対象項目名】００６２
【補正方法】削除
【補正の内容】
【手続補正１７】
【補正対象書類名】明細書
【補正対象項目名】００６３
【補正方法】削除
【補正の内容】
【手続補正１８】
【補正対象書類名】明細書
【補正対象項目名】００６４
【補正方法】削除
【補正の内容】
【手続補正１９】
【補正対象書類名】明細書
【補正対象項目名】００６５
【補正方法】削除
【補正の内容】
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】削除
【補正の内容】
【手続補正２５】
【補正対象書類名】明細書
【補正対象項目名】００７１
【補正方法】削除
【補正の内容】
【手続補正２６】
【補正対象書類名】明細書
【補正対象項目名】００７２
【補正方法】削除
【補正の内容】
【手続補正２７】
【補正対象書類名】明細書
【補正対象項目名】００７６
【補正方法】削除
【補正の内容】
【手続補正２８】
【補正対象書類名】明細書
【補正対象項目名】００７７
【補正方法】削除
【補正の内容】
【手続補正２９】
【補正対象書類名】明細書
【補正対象項目名】０２９３
【補正方法】削除
【補正の内容】
【手続補正３０】
【補正対象書類名】明細書
【補正対象項目名】０２９４
【補正方法】削除
【補正の内容】